(57)【要約】【課題】利便性を向上できる冊子及び用紙を提供する。【解決手段】ノート１は、互いに対向する一対の第１辺２ａ，２ｂと一対の第２辺２ｃ，２ｄとを有する矩形状の複数の中紙２が一方の第１辺２ａ側において綴じ合わされた冊子である。中紙２は、第１領域５と、第１領域５に対して一方の第１辺２ａ側に配置された第２領域６と、第１領域５に対して他方の第１辺２ｂ側に配置された第３領域７と、を有する。第１領域５には所定のピッチ幅Ｐで罫線１０が設けられている一方、第２領域６及び第３領域７には罫線が設けられておらず、第２領域６及び第３領域７それぞれの短辺２ｃ，２ｄに沿う方向の幅ＷＤ１，ＷＤ２は、ピッチ幅Ｐ以上となっている。【選択図】図２
2017094641.tif 000002
【特許請求の範囲】
【請求項１】
互いに対向する一対の第１辺と一対の第２辺とを有する矩形状の複数の中紙が一方の第１辺側において綴じ合わされた冊子であって、
前記中紙は、第１領域と、前記第１領域に対して前記一方の第１辺側に配置された第２領域と、前記第１領域に対して他方の第１辺側に配置された第３領域と、を有し、
前記第１領域には所定のピッチ幅で罫線が設けられている一方、前記第２領域及び前記第３領域には罫線が設けられておらず、
前記第２領域及び前記第３領域それぞれの前記第２辺に沿う方向の幅は、前記ピッチ幅以上となっている、冊子。
【請求項２】
前記第２領域及び前記第３領域それぞれの前記第２辺に沿う方向の幅は、前記ピッチ幅の２倍以上となっている、請求項１記載の冊子。
【請求項３】
前記第２領域及び前記第３領域には、前記第１辺に沿う方向及び前記第２辺に沿う方向のそれぞれに等間隔に並んだ複数のドットが設けられている、請求項１又は２記載の冊子。
【請求項４】
前記複数のドットは、前記罫線を延長した直線上に位置している、請求項３記載の冊子。
【請求項５】
前記第１領域の色彩と前記第２領域及び前記第３領域の色彩とが互いに異なっている、請求項１〜４いずれか一項記載の冊子。
【請求項６】
前記中紙は、前記第２領域に対して前記一方の第１辺側に配置され、他の前記中紙との綴じ合わせに用いられる綴じ合わせ領域を更に有している、請求項１〜５のいずれか一項記載の冊子。
【請求項７】
互いに対向する一対の第１辺と一対の第２辺とを有する矩形状の用紙であって、
第１領域と、前記第１領域に対して前記一方の第１辺側に配置された第２領域と、前記第１領域に対して他方の第１辺側に配置された第３領域と、を有し、
前記第１領域には所定のピッチ幅で罫線が設けられている一方、前記第２領域及び前記第３領域には罫線が設けられておらず、
前記第２領域及び前記第３領域それぞれの前記第２辺に沿う方向の幅は、前記ピッチ幅以上となっている、用紙。
【発明の詳細な説明】
【技術分野】
【０００１】
本発明は、冊子及び用紙に関する。
【背景技術】
【０００２】
従来、例えばノートや手帳等を構成する冊子として、長方形状の複数の中紙（用紙）が一方の長辺側において綴じ合わされたものが知られている（例えば、特許文献１参照）。特許文献１に記載の冊子では、中紙には、一対の長辺間を左右方向に延びる罫線が、上下方向に所定のピッチ幅をあけて複数本設けられている。これにより、使用者は罫線間の記入スペースに罫線に沿って文字を記入することができ、利便性の向上が図られている。
【先行技術文献】
【特許文献】
【０００３】
【特許文献１】特開２０１２−３５５０５号公報
【発明の概要】
【発明が解決しようとする課題】
【０００４】
上述したような冊子では、罫線を中紙の長辺縁まで延ばすことにより、記入スペースをなるべく大きくすることが一般的である。かかる構成においては、例えば罫線間に文字を記入した後で、記入した内容に関する補足等の関連事項を追記したくなった場合、例えば中紙の上部に設けられた余白に関連事項を記入することとなる。しかしながら、このように上部の余白に関連事項を記入した場合、記入した関連事項と、当該関連事項を対応付けたい内容とが離れてしまい、記入した関連事項が罫線間に記載された内容のうちのどの部分と対応しているのかが分かり難くなるおそれがある。そのため、利便性において改善の余地があった。
【０００５】
本発明は、上記事情に鑑みてなされたものであり、利便性を向上できる冊子及び用紙を提供することを目的とする。
【課題を解決するための手段】
【０００６】
本発明の冊子は、互いに対向する一対の第１辺と一対の第２辺とを有する矩形状の複数の中紙が一方の第１辺側において綴じ合わされた冊子であって、中紙は、第１領域と、第１領域に対して一方の第１辺側に配置された第２領域と、第１領域に対して他方の第１辺側に配置された第３領域と、を有し、第１領域には所定のピッチ幅で罫線が設けられている一方、第２領域及び第３領域には罫線が設けられておらず、第２領域及び第３領域それぞれの第２辺に沿う方向の幅は、ピッチ幅以上となっている。
【０００７】
この冊子では、第１領域には罫線が設けられている一方、第１領域対して一方の第１辺側と他方の第１辺側とに配置された第２領域と第３領域とには罫線が設けられておらず、第２領域及び第３領域それぞれの第２辺に沿う方向の幅は、第１領域に設けられた罫線のピッチ幅以上となっている。これにより、例えば第１領域の罫線間に文字を記入した後で、記入した内容についての関連事項を追記したくなった場合、関連事項を第２領域及び第３領域（余白）に記入することができる。さらに、第２領域及び第３領域が第１領域に対して一方の第１辺側と他方の第１辺側とに配置されているので、第１領域のいずれの位置に記載された内容に対しても近い位置に関連事項を記入することができる。そのため、追記された関連事項と罫線間に記載された内容との対応関係を分かり易くすることができる。したがって、この冊子によれば、利便性を向上することができる。
【０００８】
本発明の冊子では、第２領域及び第３領域それぞれの第２辺に沿う方向の幅は、ピッチ幅の２倍以上となっていてもよい。この構成によれば、より大きなスペースが関連事項の追記のために確保されることから、利便性を更に向上することができる。
【０００９】
本発明の冊子では、第２領域及び第３領域には、第１辺に沿う方向及び第２辺に沿う方向のそれぞれに等間隔に並んだ複数のドットが設けられていてもよい。この構成によれば、第２領域及び第３領域に関連事項を追記し易くなり、利便性を一層向上することができる。
【００１０】
本発明の冊子では、複数のドットは、罫線を延長した直線上に位置していてもよい。この構成によれば、第２領域及び第３領域に追記する関連事項と第１領域の罫線間に記載された内容との位置関係を対応付け易くなり、利便性をより一層向上することができる。
【００１１】
本発明の冊子では、第１領域の色彩と第２領域及び第３領域の色彩とが互いに異なっていてもよい。この構成によれば、第１領域と第２領域及び第３領域とが視覚的に区別し易くなることから、利便性をより一層向上することができる。なお、「色彩が異なる」とは、色相、彩度、及び明度等の少なくとも１つが異なっていればよく、例えば色の濃度が異なっている場合も含む。
【００１２】
本発明の冊子では、中紙は、第２領域に対して一方の第１辺側に配置され、他の前記中紙との綴じ合わせるために用いられる綴じ合わせ領域を更に有していてもよい。この構成のように綴じ合わせ領域が設けられている場合でも、綴じ合わせ領域と第１領域との間に関連事項の追記のための第２領域を配置することで、利便性を向上することができる。
【００１３】
本発明の用紙は、互いに対向する一対の第１辺と一対の第２辺とを有する矩形状の用紙であって、第１領域と、第１領域に対して一方の第１辺側に配置された第２領域と、第１領域に対して他方の第１辺側に配置された第３領域と、を有し、第１領域には所定のピッチ幅で罫線が設けられている一方、第２領域及び第３領域には罫線が設けられておらず、第２領域及び第３領域それぞれの第２辺に沿う方向の幅は、ピッチ幅以上となっている。
【００１４】
この用紙では、第１領域には罫線が設けられている一方、第１領域対して一方の第１辺側と他方の第１辺側とに配置された第２領域と第３領域とには罫線が設けられておらず、第２領域及び第３領域それぞれの第２辺に沿う方向の幅は、第１領域に設けられた罫線のピッチ幅以上となっている。これにより、例えば第１領域の罫線間に文字を記入した後で、記入した内容についての関連事項を追記したくなった場合、関連事項を第２領域及び第３領域（余白）に記入することができる。さらに、第２領域及び第３領域が第１領域に対して一方の第１辺側と他方の第１辺側とに配置されているので、第１領域のいずれの位置に記載された内容に対しても近い位置に関連事項を記入することができる。そのため、追記された関連事項と罫線間に記載された内容との対応関係を分かり易くすることができる。したがって、この用紙によれば、利便性を向上することができる。
【発明の効果】
【００１５】
本発明によれば、利便性を向上できる冊子及び用紙を提供できる。
【図面の簡単な説明】
【００１６】
【図１】本発明の冊子の一実施形態であるノートを示す図である。
【図２】図１の一部拡大図である。
【図３】図１のノートの使用状態の一例を示す図である。
【図４】変形例のノートを示す図である。
【発明を実施するための形態】
【００１７】
以下、本発明に係る実施形態について、図面を参照しつつ詳細に説明する。なお、以下の説明において、同一又は相当要素には同一符号を用い、重複する説明は省略する。
【００１８】
図１は、本発明の冊子の一実施形態であるノート１を示す図である。ノート１は、例えば、１枚の厚紙からなる表紙、裏表紙、及び背表紙と、表紙と裏表紙との間に配置された複数の中紙（用紙）２と、を備えている。ノート１は、使用者によって中紙２に文字、図形、又は記号等が記入されて用いられる。図１では、ノート１が見開かれた状態が示されている。この状態では、中紙２により構成される左右一対のページ３，３に文字等を記入することが可能となる。なお、表紙及び裏表紙と中紙２との間には、見返しが設けられていてもよい。
【００１９】
中紙２は、例えばＡ５サイズに形成されて長方形状を呈し、一対の長辺（第１辺）２ａ，２ｂと一対の短辺（第２辺）２ｃ，２ｄとを有している。このノート１では、複数の中紙２が例えば糸かがりによって綴じ合わされており、綴じ合わされた中紙２が、一方の長辺２ａ側において例えば糊等により表紙（背表紙）に接着されている。なお、複数の中紙２は、無線綴じによって綴じ合わされていてもよい。
【００２０】
中紙２の表面及び裏面には、後述する罫線１０及びドット２０を含む印刷パターンが印刷されている。この印刷パターンは、ノート１が見開かれた状態において、ノート１が上下方向（中紙２の長辺２ａ，２ｂに沿う方向）及び左右方向（中紙２の短辺２ｃ，２ｄに沿う方向）のそれぞれに関して線対称となるように設定されている。すなわち、ノート１は、見開かれた状態において、中心線Ｃ１（一方の長辺２ａ）に関して左右方向に線対称となっており、中心線Ｃ２に関して上下方向に線対称となっている。以下では、説明を簡略化するために、一方（図１中右側）のページ３について説明し、他方のページ３についての説明は省略する。なお、ノート１は、中心線Ｃ１及び中心線Ｃ２に関して線対称となっていなくてもよい。
【００２１】
図１及び図２に示されるように、中紙２は、第１領域５と、第１領域５に対して一方の長辺２ａ側（ノド側）に配置された第２領域６と、第１領域５に対して他方の長辺２ｂ側（小口側）に配置された第３領域７と、第１領域５に対して一方の短辺２ｃ側及び他方の短辺２ｄ側のそれぞれに配置された一対の第４領域８，８と、を有している。
【００２２】
第１領域５は、例えば長方形状を呈し、中紙２の中央に配置されている。図１及び図２では、第１領域５と第２領域６、第３領域７、及び第４領域８，８との境界Ｂ１が一点鎖線で仮想的に示されている。第１領域５の上下方向の長さは、例えば、中紙２の上下方向の長さの７０％以上９０％以下が好ましく、７５％以上８５％以下がより好ましい。第１領域５の左右方向の長さは、例えば、中紙２の左右方向の長さの６０％以上８０％以下が好ましく、６５％以上７５％以下がより好ましい。
【００２３】
第１領域５には、短辺２ｃ，２ｄと平行に左右方向に延びる罫線１０が、上下方向に所定のピッチ幅Ｐをあけて複数本（ここでは、２７本）設けられている。これにより、使用者は罫線１０間の記入スペースに罫線１０に沿って文字を記入することができ、利便性の向上が図られている。罫線１０は、例えばグレー又はブラック等の色で印刷されている。第１領域５における罫線１０以外の部分の色（第１領域５の背景色）は、例えばクリーム又はホワイト等となっており、罫線１０の色とは異なっている。このような配色とすることで、第１領域５に記載した文字等が判別し易く、使用者の目に優しくなっている。ピッチ幅Ｐは、例えば、４ｍｍ以上１０ｍｍ以下であり、ここでは６ｍｍとなっている。
【００２４】
第２領域６は、その長辺の長さが第１領域５の長辺の長さと等しい長方形状を呈している。図１及び図２では、第２領域６と第４領域８，８との境界Ｂ２が一点鎖線で仮想的に示されている。第２領域６には、罫線が設けられておらず、上下方向及び左右方向のそれぞれに等間隔に並んだ複数のドット（点）２０が設けられている。これにより、使用者はドット２０を利用して文字を記入することができ、利便性の向上が図られている。例えば、使用者は、ドット２０間に文字を記入したり、ドット２０が並ぶ方向に沿って文字を記入したりすることができる。ここでのドット２０は、罫線１０の太さと同程度の直径を有する円形状に形成されているが、ドット２０の形状及び大きさはこれに限られない。
【００２５】
図２に示されるように、この例では、隣り合うドット２０の上下方向の間隔と左右方向の間隔とは等しくなっており、ドット２０の上下方向及び左右方向の間隔ｄは、罫線１０のピッチ幅Ｐと等しくなっている。すべてのドット２０は、罫線１０を延長した直線Ｌ上に位置している。ドット２０は、第２領域６内に左右３列に配置されている。最も右側の列のドット２０と第１領域５との間の左右方向の距離は、間隔ｄと等しくなっており、最も左側の列のドット２０と中心線Ｃ１（長辺２ａ）との間の左右方向の距離は、間隔ｄの半分と等しくなっている。すなわち、第２領域６の左右方向の幅ＷＤ１は、ピッチ幅Ｐの３．５倍であり、ピッチ幅Ｐの２倍以上５倍以下となっている。第２領域６の左右方向の幅ＷＤ１は、ピッチ幅Ｐの２．５倍以上４．５倍以下が好ましく、ピッチ幅Ｐの３倍以上４倍以下がより好ましい。ドット２０は、例えばグレー又はブラック等の色で印刷されている。第２領域６においてドット２０以外の部分の色（第２領域６の背景色）は、例えばクリーム又はホワイト等となっており、ドット２０の色とは異なっている。このように、第２領域６の背景色の色彩は、第１領域５の背景色の色彩とは異なっている。また、このような配色とすることで、第２領域６に記載した文字等が判別し易く、使用者の目に優しくなっている。
【００２６】
第３領域７は、その長辺の長さが第１領域５の長辺の長さと等しい長方形状を呈している。図１及び図２では、第３領域７と第４領域８，８との境界Ｂ３が一点鎖線で仮想的に示されている。第３領域７には、第２領域６と同様に、罫線が設けられておらず、上下方向及び左右方向のそれぞれに等間隔に並んだ複数のドット２０が設けられている。
【００２７】
第３領域７におけるドット２０の形状、上下方向及び左右方向の間隔ｄ、配置、並びに配色等は、以下の点を除いて第２領域６におけるドット２０と同一となっている。第３領域７においても、ドット２０は左右３列に配置されている。最も左側の列のドット２０と第１領域５との間の左右方向の距離、及び最も右側の列のドット２０と中紙２の長辺２ｂとの間の左右方向の距離は、間隔ｄと等しくなっている。すなわち、第３領域７の左右方向の幅ＷＤ２は、ピッチ幅Ｐの４倍であり、ピッチ幅Ｐの２倍以上５倍以下となっている。第３領域７の左右方向の幅ＷＤ２は、ピッチ幅Ｐの２．５倍以上４．５倍以下が好ましく、ピッチ幅Ｐの３倍以上４倍以下がより好ましい。第３領域７の左右方向の幅ＷＤ２は、第２領域６の左右方向の幅ＷＤ１以下となっており、この例では第２領域６の左右方向の幅ＷＤ１よりも大きくなっている。
【００２８】
第４領域８は、その長辺の長さが中紙２の短辺２ｃ，２ｄの長さと等しい長方形状を呈している。第４領域８には、罫線が設けられておらず、上下方向及び左右方向のそれぞれに等間隔に並んだ複数のドット２０が設けられている。この例では、２つの第４領域８，８は、互いに同一形状となっている。以下では、説明を簡略化するために、上側の第４領域８について説明し、下側の第４領域８についての説明は省略する。
【００２９】
第４領域８におけるドット２０の形状、上下方向及び左右方向の間隔ｄ、配置、並びに色等は、以下の点を除いて第２領域６におけるドット２０と同一となっている。第４領域８においては、ドット２０は上下３行に配置されている。最も上側の行のドット２０と中紙２の短辺２ｃとの間の上下方向の距離、及び最も下側の行のドット２０と第１領域５との間の上下方向の距離は、間隔ｄと等しくなっている。すなわち、第４領域８の上下方向の幅ＷＤ３は、ピッチ幅Ｐの４倍であり、ピッチ幅Ｐの２倍以上５倍以下となっている。第４領域８の上下方向の幅ＷＤ３は、ピッチ幅Ｐの２．５倍以上４．５倍以下が好ましく、ピッチ幅Ｐの３倍以上４倍以下がより好ましい。第４領域８の上下方向の幅ＷＤ３は、第３領域７の左右方向の幅ＷＤ２と等しく、第２領域６の左右方向の幅ＷＤ１よりも小さくなっている。また、第４領域８のドット２０と第２領域６及び第３領域７のドット２０とが隣り合っている部分において、隣り合う第４領域８のドット２０と第２領域６及び第３領域７のドット２０との上下方向の距離は、間隔ｄと等しくなっている。すなわち、ドット２０は、第２領域６、第３領域７、及び第４領域８にわたって、上下方向及び左右方向のそれぞれに等間隔に並んでいる。
【００３０】
続いて、ノート１の使用状態の一例を説明しつつ、ノート１により奏される作用効果について説明する。図３は、図１のノート１の使用状態の一例を示す図である。
【００３１】
図３に示されるように、第１領域５における罫線１０間の記入スペースは、会議や商談の内容、アイディア等を記入するために用いることができる。第１領域５には、主に文章が記入されることが想定されることから、文章に対して汎用性の高い罫線１０が設けられている。第２領域６及び第３領域７（余白）は、第１領域５に記載した内容に関するメモ、当該内容の補足、当該内容に関して思い出したこと、当該内容のまとめ、又は当該内容から更に検討すべき点等の関連事項を追記するために用いることができる。第２領域６及び第３領域７には、キーワードとなる単語、数字、日付、短文、イラスト、又は絵文字等の種々のものを記入することが想定されることから、様々な大きさや形状に対して汎用性の高いドット２０が設けられている。
【００３２】
このように、ノート１では、例えば第１領域５の罫線１０間に文章等を記入した後で、記入した内容の関連事項を追記したくなった場合に、関連事項を第２領域６及び第３領域７に記入することができる。換言すれば、ノート１では、第１領域５に記載した内容を振り返り、考え、当該内容に関する関連事項を書き足すために、第２領域６及び第３領域７があらかじめ用意されている。
【００３３】
さらに、ノート１では、第２領域６及び第３領域７が第１領域５に対して中紙２の一方の長辺２ａ側と他方の長辺２ｂ側とに配置されているので、第１領域５のいずれの位置に記載された内容に対しても近い位置に関連事項を追記することができる。そのため、追記された関連事項と罫線１０間に記載された内容との対応関係を分かり易くすることができる。追記された関連事項と罫線１０間に記載された内容との対応関係を分かり易くすることで、ノート１を読み返した際に記載内容を容易に把握することが可能となる。したがって、ノート１によれば、利便性を向上することができる。
【００３４】
また、ノート１では、第２領域６及び第３領域７それぞれの左右方向の幅ＷＤ１，ＷＤ２は、ピッチ幅Ｐの３倍以上となっている。これにより、より大きなスペースが関連事項等の追記のために確保されることから、利便性を更に向上することができる。
【００３５】
また、ノート１では、第２領域６及び第３領域７には、上下方向及び左右方向のそれぞれに等間隔に並んだ複数のドット２０が設けられている。これにより、第１領域５から引き出し線を引く際の位置決めや、第２領域６及び第３領域７内において斜線を引いたり図柄を描いたりすることが容易になっている。また、第２領域６及び第３領域７を用途に応じて縦に区切る場合には、ドット２０を目印にすることで真っ直ぐな直線を容易に引くことができる。このように、ドット２０が設けられていることにより、第２領域６及び第３領域７に関連事項等を追記し易くなり、利便性を一層向上することができる。
【００３６】
また、ノート１では、複数のドット２０は、罫線１０を延長した直線Ｌ上に位置している。これにより、第２領域６及び第３領域７に追記する関連事項と第１領域５の罫線１０間に記載された内容との位置関係を対応付け易くなり、利便性をより一層向上することができる。また、ノート１では、罫線１０のピッチ幅Ｐと隣り合うドット２０の間隔ｄとが等しくなっている。これにより、第２領域６及び第３領域７において各罫線１０の先頭や末尾に見出しや印を付し、それらを検索や分類のために用いることが容易になっている。
【００３７】
また、ノート１では、第１領域５の色彩と第２領域６及び第３領域７の色彩とが互いに異なっている。これにより、レイアウトの違いだけでなく色彩の違いによっても第１領域５と第２領域６及び第３領域７とが視覚的に区別し易くなることから、利便性をより一層向上することができる。
【００３８】
また、ノート１では、中紙２は、第１領域５に対して一方の短辺２ｃ側及び他方の短辺２ｄ側のそれぞれに配置された第４領域８，８を更に備えている。第４領域８についても、第１領域５に記載した内容についての関連事項を追記するために用いることができる。また、一使用態様としては、第２領域６、第３領域７、及び一対の第４領域８，８のそれぞれに記入する内容を用途や目的別に分けることができる。例えば、上側の第４領域８にはタイトルや日付、商談者名などの見出し的な要素を記入し、下側の第４領域８には結果や概要などのまとめ的な要素を記入し、小口側の第２領域６には使用者のタスク的な要素を記入し、ノド側の第３領域７には使用者及び対談者（相手）の気持ちなどの所感的な要素を記入することができる。
【００３９】
以上、本発明の好適な実施形態について説明したが、本発明は、上記実施形態に限られない。例えば、上記実施形態では、ノート１に本発明を適用した例を説明したが、手帳や日記帳、学習帳等の他の冊子に適用してもよい。
【００４０】
また、上記実施形態では、糸かがりタイプのノート１に適用した例を示したが、適用するノートの種類は限定されず、例えば図４に示される変形例のノート１Ａのようにリングタイプのノートに適用してもよい。ノート１Ａでは、中紙２は、第２領域６に対して中紙２の一方の長辺２ａ側に配置され、他の中紙２との綴じ合わせのために用いられる綴じ合わせ領域９を更に有している。綴じ合わせ領域９は、その長辺の長さが中紙２の長辺２ａ，２ｂの長さと等しい長方形状を呈している。図４では、綴じ合わせ領域９と第２領域６及び第４領域８，８との境界Ｂ４が一点鎖線で仮想的に示されている。綴じ合わせ領域９には、リング部材を通すための複数の孔９ａが上下方向に等間隔に並んで設けられている。ノート１Ａでは、中紙２は、綴じ合わせ領域９において複数のリング部材により保持されており、これにより、複数の中紙２が一方の長辺２ａ側において綴じ合わされている。
【００４１】
変形例のノート１Ａように綴じ合わせ領域９が設けられている場合でも、上記ノート１の場合と同様に、綴じ合わせ領域９と第１領域５との間に関連事項の追記のための第２領域６を配置することで、利便性を向上することができる。なお、綴じ合わせ領域９には、ドット２０が設けられていてもよいし、設けられていなくてもよい。綴じ合わせ領域９の色彩と第２領域６の色彩とは、互いに異なっていてもよいし、同一であってもよい。また、孔９ａは設けられていなくてもよく、綴じ合わせ領域９において中紙２同士が糊や紐等により結合されることによって複数の中紙２が綴じ合わされていてもよい。
【００４２】
他の変形として、中紙２は、矩形状であればよく、例えば正方形状や横長の長方形状であってもよい。また、第２領域６、第３領域７、及び一対の第４領域８，８の一部又は全部にドット２０が設けられていなくてもよい。複数のドット２０の一部又は全部が、罫線１０を延長した直線Ｌ上に位置していなくてもよい。隣り合うドット２０の上下方向及び左右方向の間隔ｄは、罫線１０のピッチ幅Ｐと等しくなくてもよく、ドット２０の上下方向の間隔と左右方向の間隔とは互いに異なっていてもよい。第１領域５の色彩と第２領域６及び第３領域７の色彩とは、互いに同一であってもよい。所定のピッチ幅Ｐで設けられた罫線１０の間に、実線又は破線等の罫線が更に設けられていてもよい。
【００４３】
また、罫線１０は、任意の方向に延びていてよく、例えば上下方向に延びていてもよい。上側の第４領域８と下側の第４領域８とは、互いに同一形状でなくてもよく、例えば、上側の第４領域８の上下方向の幅が下側の第４領域８の上下方向の幅よりも大きくなっていてもよい。また、一対の中紙２が互いの長辺２ａ，２ｂにおいて連続するように一体化されて１枚の用紙とされていてもよい。この場合、複数の用紙が折り畳まれて重ね合わされることにより冊子が構成されることとなる。なお、この場合でも、一対の中紙２のそれぞれが、一対の長辺（第１辺）２ａ，２ｂと一対の短辺（第２辺）２ｃ，２ｄを有するとみなすことができる。
【符号の説明】
【００４４】
１,１Ａ…ノート、２…中紙（用紙）、２ａ…一方の第１辺（長辺）、２ｂ…他方の第２辺（長辺）、２ｃ，２ｄ…第２辺（短辺）、５…第１領域、６…第２領域、７…第３領域、９…綴じ合わせ領域、１０…罫線、２０…ドット、Ｌ…罫線を延長した直線、Ｐ…罫線のピッチ幅、ＷＤ１…第２領域の左右方向の幅、ＷＤ２…第３領域の左右方向の幅。
【図１】
2017094641.tif 000003
【図２】
2017094641.tif 000004
【図３】
2017094641.tif 000005
【図４】
2017094641.tif 000006